(57)【要約】    【課題】親機および無線増設親機の間を互いに無線で接続するにあたり、親機に登録される無線増設親機の判別を容易とする。    【解決手段】玄関子機１ａ、１ｂのカメラ１０１にて撮像された映像に親機２ａ、２ｂの親機固有アドレスを付加して無線増設親機３ａ、３ｂへと伝送し、この映像を無線増設親機のモニタ３０２に表示させ、無線増設親機では、接続先の親機を介して伝送されてきた映像を選択することにより、無線増設親機にて選択された映像を伝送した親機の親機固有アドレスが接続先の無線増設親機に登録されるばかりでなく、接続元である無線増設親機の増設親機固有アドレスが送信先アドレスとして接続先の親機に登録される。また、親機に登録された無線増設親機の台数を当該親機の表示機能、例えば、モニタ２０２に表示する。  【選択図】図１
2006140660.tif 000002
【特許請求の範囲】
【請求項１】
玄関に設置されたカメラ（１０１）を有する玄関子機（１ａ、１ｂ）に住戸内に設置されたモニタ（２０２）を有する親機（２ａ、２ｂ）およびモニタ（３０２）を有する無線増設親機（３ａ、３ｂ）を接続し、前記玄関子機から前記親機および前記無線増設親機にそれぞれ呼び出しを行うテレビインターホン装置であって、
前記親機と前記無線増設親機とを接続するにあたり、前記親機は、前記玄関子機の前記カメラにて撮像された映像に親機固有アドレスを付加して前記無線増設親機へと伝送し、
前記無線増設親機は、前記伝送されてきた映像を受信して前記モニタに表示し、前記表示されている映像を選択し、前記無線増設親機にて選択された映像を伝送した親機の前記親機固有アドレスを登録し、前記登録された親機固有アドレスを送信先アドレスとして増設固有アドレスを付加して前記親機へと伝送し、
前記親機は、前記伝送されてきた増設固有アドレスを登録することを特徴とするテレビインターホン装置。
【請求項２】
玄関に設置されたカメラ（１０１）を有する玄関子機（１ａ、１ｂ）に住戸内に設置されたモニタ（２０２）を有する親機（２ａ、２ｂ）およびカメラ（３０４）を有する無線増設親機（３ａ’、３ｂ’）を接続し、前記玄関子機から前記親機および前記無線増設親機にそれぞれ呼び出しを行うテレビインターホン装置であって、
前記親機と前記無線増設親機とを接続するにあたり、前記無線増設親機は、前記カメラにて撮像された映像に増設固有アドレスを付加して前記親機へと伝送し、
前記親機は、前記伝送されてきた映像を受信して前記モニタに表示し、前記表示されている映像を選択し、前記親機にて選択された映像を伝送した無線増設親機の前記増設固有アドレスを登録し、前記登録された増設固有アドレスを送信先アドレスとして親機固有アドレスを付加して前記無線増設親機へと伝送し、
前記無線増設親機は、前記伝送されてきた親機固有アドレスを登録することを特徴とするテレビインターホン装置。
【請求項３】
前記親機は、前記登録された前記無線増設親機の台数を表示する機能を備えたことを特徴とする請求項１または請求項２記載のテレビインターホン装置。
【発明の詳細な説明】
【技術分野】
【０００１】
本発明は、テレビインターホン装置に係り、特に、親機および無線増設親機の間を互いに無線で接続するにあたり、親機に登録される無線増設親機の判別を容易としたテレビインターホン装置に関する。
【背景技術】
【０００２】
従来から、この種のテレビインターホン装置として、玄関に設置されたカメラを有する玄関子機に、住戸内に設置されたモニタを有する親機およびモニタを有する増設親機を接続し、玄関子機から親機および増設親機に呼び出しを行うことができるテレビインターホン装置が開示されている（例えば、非特許文献１を参照。）。
【０００３】
また、従来例のテレビインターホン装置において、前述の増設親機を親機との間で無線によるデータ通信が可能な無線増設親機に代えた場合、親機に接続させる無線増設親機を登録するにあたっては、無線増設親機に割り当てられている識別番号を手動で親機に登録する方法、または増設親機の登録ＩＤ設定スイッチを操作して登録するインターホンＩＤ付与方式が好適であった（例えば、特許文献１を参照。）。
【０００４】
【非特許文献１】アイホン総合カタログ  ２００４／２００５年版（１２〜１５頁等）
【特許文献１】特開２０００−２８６９６９号公報（段落番号０００２〜０００６、図４〜図７）
【発明の開示】
【発明が解決しようとする課題】
【０００５】
しかしながら、従来例のインターホンＩＤ付与方式では、自らが使用している無線増設親機が何れの親機に接続されているか否かを判断することが困難であるばかりでなく、ニ世帯住宅等、同一の建物内に複数の親機がある場合には、何れの親機に接続すればよいか登録時に間違えることが多く、不慣れな人物が登録作業を行うことは困難であった。また、前述のようなニ世帯住宅のみならず、２以上の複数の住戸内に同一の親機および無線増設親機を使用している人物が居た場合には、同一の住戸でない玄関先の映像が表示される虞があり、この機能を悪用して近隣住戸への来訪者を盗み見ることも可能であった。
【０００６】
本発明は、前述の難点を解消するためになされたもので、無線で接続される無線増設親機を親機に登録するにあたり、全ての玄関子機のカメラにて撮像され無線増設親機のモニタに表示される映像、または全ての無線増設親機のカメラにて撮像され親機のモニタに表示される映像の選択をもとに登録し、親機に登録される無線増設親機の判別を容易としたテレビインターホン装置を提供することを目的としている。
【課題を解決するための手段】
【０００７】
前述の目的を達成するため、本発明のテレビインターホン装置は、玄関に設置されたカメラを有する玄関子機に住戸内に設置されたモニタを有する親機およびモニタを有する無線増設親機を接続し、玄関子機から親機および無線増設親機にそれぞれ呼び出しを行う当該装置である。親機と無線増設親機とを接続するにあたり、親機は、玄関子機のカメラにて撮像された映像に親機固有アドレスを付加して無線増設親機へと伝送するものである。無線増設親機は、伝送されてきた映像を受信してモニタに表示し、表示されている映像を選択し、無線増設親機にて選択された映像を伝送した親機の親機固有アドレスを登録し、登録された親機固有アドレスを送信先アドレスとして増設親機固有アドレスを付加して親機へと伝送するものである。親機は、伝送されてきた増設親機固有アドレスを登録するものである。
【０００８】
また、本発明のテレビインターホン装置は、玄関に設置されたカメラを有する玄関子機に住戸内に設置されたモニタを有する親機およびカメラを有する無線増設親機を接続し、玄関子機から親機および無線増設親機にそれぞれ呼び出しを行う当該装置である。親機と無線増設親機とを接続するにあたり、無線増設親機は、カメラにて撮像された映像に増設親機固有アドレスを付加して親機へと伝送するものである。親機は、伝送されてきた映像を受信してモニタに表示し、表示されている映像を選択し、親機にて選択された映像を伝送した無線増設親機の増設親機固有アドレスを登録し、登録された増設親機固有アドレスを送信先アドレスとして親機固有アドレスを付加して無線増設親機へと伝送するものである。無線増設親機は、伝送されてきた親機固有アドレスを登録するものである。
【０００９】
また、本発明のテレビインターホン装置において、親機は、登録された無線増設親機の台数を表示する機能を備えている。
【発明の効果】
【００１０】
本発明のテレビインターホン装置によれば、玄関子機のカメラにて撮像された映像に親機の親機固有アドレスを付加して無線増設親機へと伝送し、この映像を無線増設親機のモニタに表示させ、無線増設親機では、接続先の親機を介して伝送されてきた映像を選択することにより、無線増設親機にて選択された映像を伝送した親機の親機固有アドレスが接続先の無線増設親機に登録されるばかりでなく、接続元である無線増設親機の増設親機固有アドレスが送信先アドレスとして接続先の親機に登録されることにより、親機に登録される無線増設親機の判別を容易に行うことができ、さらに親機に登録された無線増設親機の台数を当該親機の表示機能、例えば、モニタに表示して第三者による接続を防止させることができる。
【００１１】
本発明のテレビインターホン装置によれば、無線増設親機のカメラにて撮像された映像に当該無線増設親機の増設親機固有アドレスを付加して親機へと伝送し、この映像を親機のモニタに表示させ、親機では、接続先の無線増設親機から伝送されてきた映像を選択することにより、親機にて選択された映像を伝送した無線増設親機の増設親機固有アドレスが接続先の親機に登録されるばかりでなく、接続元である親機の親機固有アドレスが送信先アドレスとして接続先の無線増設親機に登録されることにより、親機に登録される無線増設親機の判別を容易に行うことが
でき、さらに親機に登録された無線増設親機の台数を当該親機の表示機能、例えば、モニタに表示して第三者による接続を防止させることができる。
【発明を実施するための最良の形態】
【００１２】
以下、本発明のテレビインターホン装置を適用した最良の実施の形態例について、図面を参照して説明する。
［第１の実施例］
図１は、本発明の第１の実施例によるテレビインターホン装置を示すシステム構成図である。
【００１３】
図１のシステム構成図に示すテレビインターホン装置は、多世帯住宅内、ここでは、ニ世帯住宅内に設置されており、親世帯住戸の玄関に設置され、来訪者が呼出操作を行い通話を成立させるための玄関子機（以下、親世帯玄関子機という。）１ａと、子世帯住戸の玄関に設置され、来訪者が呼出操作を行い通話を成立させるための玄関子機（以下、子世帯玄関子機という。）１ｂと、親世帯住戸の住戸内に設置され、伝送線路（以下、親世帯ラインという。）Ｌ1aを介して接続された親世帯玄関子機１ａからの呼び出しを報知し、この呼び出しに応答した親世帯住戸の住戸内に在室中の居住者が通話を成立させるための親機（以下、親世帯親機という。）２ａと、子世帯住戸の住戸内に設置され、伝送線路（以下、子世帯ラインという。）Ｌ1bを介して接続された子世帯玄関子機１ｂからの呼び出しを報知し、この呼び出しに応答した子世帯住戸の住戸内に在室中の居住者が通話を成立させるための親機（以下、子世帯親機という。）２ｂと、親世帯親機２ａおよび子世帯親機２ｂとの間でそれぞれ無線によるデータ通信が可能であり、親世帯玄関子機１ａからの呼び出しを報知し、この呼び出しに応答した親世帯住戸の住戸内に在室中の居住者が通話を成立させるための携帯端末、ＰＤＡ（Personal Digital Assistant）等の無線増設親機（以下、親世帯無線増設親機という。）３ａと、親世帯親機２ａおよび子世帯親機２ｂとの間でそれぞれ無線によるデータ通信が可能であり、子世帯玄関子機１ｂからの呼び出しを報知し、この呼び出しに応答した子世帯住戸の住戸内に在室中の居住者が通話を成立させるための携帯端末、ＰＤＡ等の無線増設親機（以下、子世帯無線増設親機という。）３ｂとで構成されている。
【００１４】
なお、親世帯親機２ａおよび子世帯親機２ｂには、それぞれの機器の間を伝送線路Ｌ2を介して接続することにより、親世帯玄関子機１ａからの呼び出しを親世帯親機２ａを介して子世帯親機２ｂに呼出転送させる機能、子世帯玄関子機１ｂからの呼び出しを子世帯親機２ｂを介して親世帯親機２ａに呼出転送させる機能を備えることができる。
【００１５】
親世帯玄関子機１ａおよび子世帯玄関子機１ｂはそれぞれ同様な構成であり、来訪者が呼出操作を行うための呼出ボタン１００と、呼出操作を行った来訪者や玄関先（親世帯住戸の玄関先、子世帯住戸の玄関先）の周囲近傍の映像を撮像するためのＣＣＤ（Charge Coupled Device）撮像素子、ＣＭＯＳ（Complementary Metal Oxide Semiconductor）撮像素子等のカメラ（以下、子機カメラという。）１０１と、呼出元の来訪者が呼出相手先の居住者との間で通話を成立させるための音声（送話音声、受話音声）を入出力するマイク（以下、子機マイクという。）１０２およびスピーカ（以下、子機スピーカという。）１０３とを有している。
【００１６】
また、親世帯親機２ａおよび子世帯親機２ｂはそれぞれ同様な構成であり、当該機器の出荷時において割り当てられたマック（ＭＡＣ）アドレス等からなる固有のアドレス（以下、親機固有アドレスという。）を有しており、親世帯玄関子機１ａ、子世帯玄関子機１ｂの各呼出ボタン１００を操作した来訪者からの呼び出しがある旨の呼出音（音声メッセージを含む。）を放音するためのスピーカ（以下、親機スピーカという。）２００と、呼出相手先の居住者が呼出元の来訪者との間で通話を成立させるための音声（送話音声、受話音声）を入出力するハンドセット２０１と、親世帯玄関子機１ａ、子世帯玄関子機１ｂの各子機カメラ１０１にて撮像された映像を表示するためのＬＣＤ（Liquid Crystal Display）、有機ＥＬ（Electro Luminescence）ディスプレイ等のモニタ（以下、親機モニタという。）２０２と、親世帯玄関子機１ａ、子世帯玄関子機１ｂの各子機カメラ１０１を駆動（パン・チルト制御等を含む。）させるためのタッチパネル、操作ボタン等の操作部（以下、親機操作部という。）２０３とを有している。
【００１７】
さらに、親世帯無線増設親機３ａおよび子世帯無線増設親機３ｂはそれぞれ同様な構成であり、当該機器の出荷時において割り当てられたマック（ＭＡＣ）アドレス等からなる固有のアドレス（以下、増設親機固有アドレスという。）を有しており、親世帯玄関子機１ａ、子世帯玄関子機１ｂの各呼出ボタン１００を操作した来訪者からの呼び出しがある旨の呼出音（音声メッセージを含む。）を放音するとともに、呼出相手先の居住者が呼出元の来訪者との間で通話を成立させるにあたり、当該来訪者の音声（受話音声）が出力されるスピーカ（以下、増設親機スピーカという。）３００と、呼出相手先の居住者が呼出元の来訪者との間で通話を成立させるにあたり、音声（送話音声）を入力するためのマイク（以下、増設親機マイクという。）３０１と、親世帯玄関子機１ａ、子世帯玄関子機１ｂの各子機カメラ１０１にて撮像された映像を表示するためのＬＣＤ、有機ＥＬディスプレイ等のモニタ（以下、増設親機モニタという。）３０２と、親世帯玄関子機１ａ、子世帯玄関子機１ｂの各子機カメラ１０１を駆動（パン・チルト制御等を含む。）させるためのタッチパネル、操作ボタン等の操作部（以下、増設親機操作部という。）３０３とを有している。
【００１８】
なお、親世帯親機２ａ、子世帯親機２ｂ、親世帯無線増設親機３ａおよび子世帯無線増設親機３ｂにそれぞれ割り当てられたマック（ＭＡＣ）アドレスとは、ＬＡＮ（Local Area Network）ボード等、イーサネット（登録商標）に接続する全ての機器が有する固有の番号である。
【００１９】
このように構成された本発明の第１の実施例によるテレビインターホン装置において、以下、具体的な動作について説明する。
【００２０】
図１のシステム構成図において、親世帯住戸の住戸内に設置された親世帯無線増設親機３ａの増設親機モニタ３０２および子世帯住戸の住戸内に設置された子世帯無線増設親機３ｂの増設親機モニタ３０２にそれぞれ表示させる映像として、親世帯住戸の玄関に設置された親世帯玄関子機１ａの子機カメラ１０１、または子世帯住戸の玄関に設置された子世帯玄関子機１ｂの子機カメラ１０１の何れか１の当該カメラにて撮像される映像を選択して予め登録するにあたり、当該テレビインターホン装置の施工業者等は、親世帯親機２ａおよび子世帯親機２ｂの各親機操作部２０３にて所定の子機カメラ駆動操作（詳述せず）をそれぞれ行う。
【００２１】
先ず、当該テレビインターホン装置の施工業者等が親世帯親機２ａの親機操作部２０３にて所定の子機カメラ駆動操作（詳述せず）を行うと、親世帯ラインＬ1aを介して親世帯玄関子機１ａへと子機カメラ駆動信号が伝送される。
【００２２】
親世帯玄関子機１ａは、親世帯親機２ａからの子機カメラ駆動信号を検出すると子機カメラ１０１が駆動され、親世帯住戸の玄関先の周囲近傍の映像の撮像を開始する。この映像は、電気信号である親世帯玄関映像信号に信号処理された後、親世帯ラインＬ1aを介して親世帯親機２ａへと伝送される。
【００２３】
親世帯親機２ａは、親世帯玄関子機１ａからの親世帯玄関映像信号に自親機に割り当てられている親機固有アドレスを付加させた親世帯玄関映像転送信号を生成する。この親世帯玄関映像転送信号は、無線信号に信号処理された後、親世帯無線増設親機３ａおよび子世帯無線増設親機３ｂへとそれぞれ伝送される。
【００２４】
親世帯無線増設親機３ａおよび子世帯無線増設親機３ｂは、親世帯親機２ａからの無線信号を受信し、電気信号に信号処理された親世帯玄関映像転送信号をもとに、親世帯住戸の玄関先の周囲近傍の映像を各増設親機モニタ３０２にそれぞれ表示させることができる。
【００２５】
一方、当該テレビインターホン装置の施工業者等が子世帯親機２ｂの親機操作部２０３にて所定の子機カメラ駆動操作（詳述せず）を行うと、子世帯ラインＬ1bを介して子世帯玄関子機１ｂへと子機カメラ駆動信号が伝送される。
【００２６】
子世帯玄関子機１ｂは、子世帯親機２ｂからの子機カメラ駆動信号を検出すると子機カメラ１０１が駆動され、子世帯住戸の玄関先の周囲近傍の映像の撮像を開始する。この映像は、電気信号である子世帯玄関映像信号に信号処理された後、子世帯ラインＬ1bを介して子世帯親機２ｂへと伝送される。
【００２７】
子世帯親機２ｂは、子世帯玄関子機１ｂからの子世帯玄関映像信号に自親機に割り当てられている親機固有アドレスを付加させた子世帯玄関映像転送信号を生成する。この子世帯玄関映像転送信号は、無線信号に信号処理された後、親世帯無線増設親機３ａおよび子世帯無線増設親機３ｂへそれぞれ伝送される。
【００２８】
親世帯無線増設親機３ａおよび子世帯無線増設親機３ｂは、子世帯親機２ｂからの無線信号を受信し、電気信号に信号処理された子世帯玄関映像転送信号をもとに、子世帯住戸の玄関先の周囲近傍の映像を各増設親機モニタ３０２にそれぞれ表示させることができる。
【００２９】
次に、親世帯無線増設親機３ａおよび子世帯無線増設親機３ｂの各増設親機モニタ３０２に、親世帯住戸の玄関先の周囲近傍の映像および子世帯住戸の玄関先の周囲近傍の映像の２つの映像がそれぞれ表示されている状態において、当該テレビインターホン装置の施工業者等が、先ず、親世帯無線増設親機３ａの増設親機モニタ３０２に表示されている前述の２つの映像のうち、何れか１の当該映像を選択する、例えば、親世帯住戸の玄関先の周囲近傍の映像を選択するにあたり、増設親機操作部３０３にて所定の選択操作（詳述せず）を行うと、選択された映像の当該映像信号である前述の親世帯玄関映像転送信号に付加されていた親機固有アドレス、ここでは、親世帯親機２ａに割り当てられている親機固有アドレスが自増設親機に登録されるとともに、登録された親機固有アドレスを送信先アドレスとして自増設親機に割り当てられている増設親機固有アドレスを付加させた親世帯映像設定信号を生成する。この親世帯子機映像設定信号は、無線信号に信号処理された後、親世帯親機２ａおよび子世帯親機２ｂへそれぞれ伝送される。
【００３０】
親世帯親機２ａおよび子世帯親機２ｂは、親世帯無線増設親機３ａからの無線信号を受信し、電気信号に信号処理された親世帯子機映像設定信号に付加されている親機固有アドレスと自親機に割り当てられている親機固有アドレスとを照合する。ここでは、親世帯親機２ａのみ当該親機固有アドレスが一致し、親世帯子機映像設定信号に同様に付加されている増設親機固有アドレス、すなわち、親世帯無線増設親機３ａに割り当てられている増設親機固有アドレスを、親機玄関子機１ａの子機カメラ１０１にて撮像された映像を表示させる当該増設親機を指定するための増設親機固有アドレスとして登録することができるばかりでなく、登録された当該増設親機の台数、ここでは、親世帯無線増設親機３ａの１台である旨を親機モニタ２０２に文字や絵データ等を用いて表示させることができ、第三者による自親機への接続が防止される。
【００３１】
なお、前述の説明では、親世帯無線増設親機３ａおよび子世帯無線増設親機３ｂの各増設親機モニタ３０２に、親世帯住戸の玄関先の周囲近傍の映像および子世帯住戸の玄関先の周囲近傍の映像の２つの映像がそれぞれ表示されている状態において、当該テレビインターホン装置の施工業者等が、親世帯無線増設親機３ａの増設親機モニタ３０２に表示されている前述の２つの映像のうち、親世帯住戸の玄関先の周囲近傍の映像を選択するにあたり、増設親機操作部３０３にて所定の選択操作（詳述せず）を行った場合について説明したが、同様な所定の選択操作（詳述せず）を子世帯無線増設親機３ｂの増設親機操作部３０３にて行い、増設親機モニタ３０２に表示されている前述の２つの映像のうち、子世帯住戸の玄関先の周囲近傍の映像を選択することにより、子世帯無線増設親機３ｂには、選択された映像の当該映像信号である前述の子親世帯玄関映像転送信号に付加されていた親機固有アドレス、ここでは、子世帯親機２ｂに割り当てられている親機固有アドレスが登録されるとともに、登録された親機固有アドレスを送信先アドレスとして自増設親機に割り当てられている増設親機固有アドレスが子世帯親機２ｂに登録され、この子世帯親機２ｂでは、登録された当該増設親機の台数、ここでは、子世帯無線増設親機３ｂの１台である旨を親機モニタ２０２に文字や絵データ等を用いて表示させることができ、第三者による自親機への接続が防止される。
【００３２】
次に、親世帯無線増設親機３ａの増設親機モニタ３０２に表示させる映像を親世帯住戸の玄関先の周囲近傍の映像、子世帯無線増設親機３ｂの増設親機モニタ３０２に表示させる映像を子世帯住戸の玄関先の周囲近傍の映像のように選択して予め登録した後、例えば、当該テレビインターホン装置の施工業者や親世帯住戸の住戸内に在室中の居住者等が、親世帯無線増設親機３ａの増設親機操作部３０３にて所定の子機カメラ駆動操作（詳述せず）を行うと、自増設親機に予め登録されていた親世帯親機２ａに割り当てられている親機固有アドレスを付加させた電気信号である子機カメラ駆動制御信号が生成される。この子機カメラ駆動制御信号は、無線信号に信号処理された後、親世帯親機２ａおよび子世帯親機２ｂへとそれぞれ伝送される。
【００３３】
親世帯親機２ａおよび子世帯親機２ｂは、親世帯無線増設親機３ａからの無線信号を受信し、電気信号に信号処理された子機カメラ駆動制御信号に付加されている親機固有アドレスと自親機に割り当てられている親機固有アドレスとを照合する。ここでは、親世帯親機２ａのみ当該親機固有アドレスが一致し、親世帯ラインＬ1aを介して親世帯玄関子機１ａへと子機カメラ駆動信号が出力される。
【００３４】
親世帯玄関子機１ａは、親世帯親機２ａからの子機カメラ駆動信号を検出すると子機カメラ１０１が駆動され、親世帯住戸の玄関先の周囲近傍の映像の撮像を開始する。この映像は、電気信号である親世帯玄関映像信号に信号処理された後、親世帯ラインＬ1aを介して親世帯親機２ａへと伝送される。
【００３５】
親世帯親機２ａは、親世帯玄関子機１ａからの親世帯玄関映像信号に自親機に予め登録されていた親世帯無線増設親機３ａに割り当てられている増設親機固有アドレスを付加させた親世帯玄関映像転送信号を生成する。この親世帯玄関映像転送信号は、無線信号に信号処理された後、親世帯無線増設親機３ａおよび子世帯無線増設親機３ｂへとそれぞれ伝送される。
【００３６】
親世帯無線増設親機３ａおよび子世帯無線増設親機３ｂは、親世帯親機２ａからの無線信号を受信し、電気信号に信号処理された親世帯玄関映像転送信号に付加されている増設親機固有アドレスと自増設親機に割り当てられている増設親機固有アドレスとを照合する。ここでは、親世帯無線増設親機３ａのみ当該増設親機固有アドレスが一致し、親世帯玄関子機１ａの子機カメラ１０１にて撮像された映像、すなわち、親世帯住戸の玄関先の周囲近傍の映像を増設親機モニタ３０２に表示させることができる。これにより、当該テレビインターホン装置の施工業者や親世帯住戸の住戸内に在室中の居住者は、親世帯無線増設親機３ａの増設親機モニタ３０２に表示された映像をもとに、自増設親機に接続されている当該親機が親世帯玄関子機１ａに親世帯ラインＬ1aを介して接続された親世帯親機２ａである旨を容易に確認することができる。
【００３７】
なお、前述の説明では、親世帯無線増設親機３ａの増設親機モニタ３０２に表示させる映像を親世帯住戸の玄関先の周囲近傍の映像、子世帯無線増設親機３ｂの増設親機モニタ３０２に表示させる映像を子世帯住戸の玄関先の周囲近傍の映像のように選択して予め登録した後、当該テレビインターホン装置の施工業者や居住者等が行う所定の子機カメラ駆動操作（詳述せず）を、親世帯無線増設親機３ａの増設親機操作部３０３にて行った場合について説明したが、子世帯無線増設親機３ｂの増設親機操作部３０３にて所定の子機カメラ駆動操作（詳述せず）が行われた場合、当該テレビインターホン装置の施工業者や子世帯住戸の住戸内に在室中の居住者等は、子世帯無線増設親機３ｂの増設親機モニタ３０２に表示される映像をもとに、自増設親機に接続されている当該親機が子世帯玄関子機１ｂに子世帯ラインＬ1bを介して接続された子世帯親機２ｂである旨を容易に確認することができる。
［第２の実施例］
図２は、本発明の第２の実施例によるテレビインターホン装置を示すシステム構成図である。
【００３８】
なお、本発明の第２の実施例において、前述の第１の実施例と同様な構成各部／回路については、同一の符号を付与して具体的な説明は省略する。
【００３９】
図２のシステム構成図に示すテレビインターホン装置は、呼出ボタン１００、子機カメラ１０１、子機マイク１０２、子機スピーカ１０３をそれぞれ有する親世帯玄関子機１ａおよび子世帯玄関子機１ｂと、前述のような親機固有アドレスが割り当てられており、親機スピーカ２００、ハンドセット２０１、親機モニタ２０２、親機操作部２０３をそれぞれ有する親世帯親機２ａおよび子世帯親機２ｂと、前述のような増設親機固有アドレスが割り当てられており、増設親機スピーカ３００、増設親機マイク３０１、増設親機モニタ３０２、増設親機操作部３０３および住戸内（親世帯の住戸内、子世帯の住戸内）で自増設親機の周囲近傍の映像を撮像するためのＣＣＤ撮像素子、ＣＭＯＳ撮像素子等のカメラ（以下、増設親機カメラという。）３０４をそれぞれ有する親世帯無線増設親機３ａ’および子世帯無線増設親機３ｂ’とで構成されている。
【００４０】
なお、親世帯親機２ａおよび子世帯親機２ｂの各親機操作部２０２は、前述のような親世帯玄関子機１ａ、子世帯玄関子機１ｂの各子機カメラ１０１を駆動（パン・チルト制御等を含む。）させる機能のみならず、親世帯無線増設親機３ａ’、子世帯無線増設親機３ｂ’の各増設親機カメラ３０４を駆動（パン・チルト制御等を含む。）させる機能を備えている。
【００４１】
このように構成された本発明の第２の実施例によるテレビインターホン装置において、以下、具体的な動作について説明する。
【００４２】
図２のシステム構成図において、親世帯住戸の住戸内に設置された親世帯親機２ａの親機モニタ２０２および子世帯住戸の住戸内に設置された子世帯親機２ｂの親機モニタ２０２にそれぞれ表示させる映像として、親世帯無線増設親機３ａ’の増設親機カメラ３０４、または子世帯無線増設親機３ｂ’の増設親機カメラ３０４の何れか１の当該カメラにて撮像される映像を選択して予め登録するにあたり、当該テレビインターホン装置の施工業者等は、親世帯無線増設親機３ａ’および子世帯無線増設親機３ｂ’の各増設親機操作部３０３にて所定の増設親機カメラ駆動操作（詳述せず）をそれぞれ行う。
【００４３】
先ず、当該テレビインターホン装置の施工業者等が親世帯無線増設親機３ａ’の増設親機操作部３０３にて所定の増設親機カメラ駆動操作（詳述せず）を行うと、増設親機カメラ３０４が駆動して親世帯住戸の住戸内で自増設親機の周囲近傍の映像の撮像を開始する。この映像は、電気信号である親世帯住戸内映像信号に信号処理され、自増設親機に割り当てられている増設親機固有アドレスが付加された後、無線信号で親世帯親機２ａおよび子世帯親機２ｂへとそれぞれ伝送される。
【００４４】
親世帯親機２ａおよび子世帯親機２ｂは、親世帯無線増設親機３ａ’からの無線信号を受信し、電気信号に信号処理された親世帯住戸内映像信号をもとに、親世帯住戸の住戸内で親世帯無線増設親機３ａ’の周囲近傍の映像を各親機モニタ２０２にそれぞれ表示させることができる。
【００４５】
一方、当該テレビインターホン装置の施工業者等が子世帯無線増設親機３ｂ’の増設親機操作部３０３にて所定の増設親機カメラ駆動操作（詳述せず）を行うと、増設親機カメラ３０４が駆動して子世帯住戸の住戸内で自増設親機の周囲近傍の映像の撮像を開始する。この映像は、電気信号である子世帯住戸内映像信号に信号処理され、自増設親機に割り当てられている増設親機固有アドレスが付加された後、無線信号で親世帯親機２ａおよび子世帯親機２ｂへとそれぞれ伝送される。
【００４６】
親世帯親機２ａおよび子世帯親機２ｂは、子世帯無線増設親機３ｂ’からの無線信号を受信し、電気信号に信号処理された子世帯住戸内映像信号をもとに、子世帯住戸の住戸内で子世帯無線増設親機３ｂ’の周囲近傍の映像を各親機モニタ２０２にそれぞれ表示させることができる。
【００４７】
次に、親世帯親機２ａおよび子世帯親機２ｂの各親機モニタ２０２に、親世帯住戸の住戸内で親世帯無線増設親機３ａ’の周囲近傍の映像および子世帯住戸の住戸内で子世帯無線増設親機３ｂ’の周囲近傍の映像の２つの映像がそれぞれ表示されている状態において、当該テレビインターホン装置の施工業者等が、先ず、親世帯親機２ａの親機モニタ２０２に表示されている前述の２つの映像のうち、何れか１の当該映像を選択する、例えば、親世帯住戸の住戸内で親世帯無線増設親機３ａ’の周囲近傍の映像を選択するにあたり、親機操作部２０３にて所定の選択操作（詳述せず）を行うと、選択された映像の当該映像信号である前述の親世帯住戸内映像信号に付加されていた増設親機固有アドレス、ここでは、親世帯無線増設親機３ａ’に割り当てられている増設親機固有アドレスが自親機に登録されるとともに、登録された増設親機固有アドレスを送信先アドレスとして自親機に割り当てられている親機固有アドレスを付加させた親世帯住戸内映像設定信号が生成される。この親世帯住戸内映像設定信号は、無線信号に信号処理された後、親世帯無線増設親機３ａ’および子世帯無線増設親機３ｂ’へとそれぞれ伝送される。なお、親世帯親機２ａは、登録された当該増設親機の台数、ここでは、親世帯無線増設親機３ａ’の１台である旨を親機モニタ２０２に文字や絵データ等を用いて表示させることができ、第三者による自親機への接続が防止される。
【００４８】
親世帯無線増設親機３ａ’および子世帯無線増設親機３ｂ’は、親世帯親機２ａからの無線信号を受信し、電気信号に信号処理された親世帯住戸内映像設定信号に付加されている増設親機固有アドレスと自増設親機に割り当てられている増設親機固有アドレスとを照合する。ここでは、親世帯無線増設親機３ａ’のみ当該増設親機固有アドレスが一致し、親世帯住戸内映像設定信号に同様に付加されている親機固有アドレス、すなわち、親世帯親機２ａに割り当てられている親機固有アドレスを、自増設親機の増設親機カメラ３０４にて撮像された映像を表示させる当該親機を指定するための親機固有アドレスとして登録することができる。
【００４９】
なお、前述の説明では、親世帯親機２ａおよび子世帯親機２ｂの各親機モニタ２０２に、親世帯住戸の住戸内で親世帯無線増設親機３ａ’の周囲近傍の映像および子世帯住戸の住戸内で子世帯無線増設親機３ｂ’の周囲近傍の映像の２つの映像がそれぞれ表示されている状態において、当該テレビインターホン装置の施工業者等が、親世帯親機２ａの親機モニタ２０２に表示されている前述の２つの映像のうち、親世帯住戸の住戸内で親世帯無線増設親機３ａ’の周囲近傍の映像を選択するにあたり、親機操作部２０３にて所定の選択操作（詳述せず）を行った場合について説明したが、同様な所定の選択操作（詳述せず）を子世帯親機２ｂの親機操作部２０３にて行い、親機モニタ２０２に表示されている前述の２つの映像のうち、子世帯住戸の住戸内で子世帯無線増設親機３ｂ’の周囲近傍の映像を選択することにより、子世帯親機２ｂには、選択された映像の当該映像信号である前述の親世帯住戸内映像設定信号に付加されていた増設親機固有アドレス、ここでは、子世帯無線増設親機３ｂ’に割り当てられている増設親機固有アドレスが登録されるとともに、登録された当該増設親機の台数、ここでは、子世帯無線増設親機３ｂ’の１台である旨を親機モニタ２０２に文字や絵データ等を用いて表示させることができ、第三者による自親機への接続が防止される。また、子世帯無線増設親機３ｂ’には、子世帯親機２ｂに割り当てられている親機固有アドレスが（親世帯住戸内映像設定信号の）送信先として登録される。
【００５０】
次に、親世帯親機２ａの親機モニタ２０２に表示させる映像を親世帯住戸の住戸内で親世帯無線増設親機３ａ’の周囲近傍の映像、子世帯親機２ｂの親機モニタ２０２に表示させる映像を子世帯住戸の住戸内で子世帯無線増設親機３ｂ’の周囲近傍の映像のように選択して予め登録した後、例えば、当該テレビインターホン装置の施工業者や親世帯住戸の住戸内に在室中の居住者等が、親世帯親機２ａの親機操作部２０３にて所定の増設親機カメラ駆動操作（詳述せず）を行うと、自親機に予め登録されていた親世帯無線増設親機３ａ’に割り当てられている増設親機固有アドレスを付加させた電気信号である増設親機カメラ駆動制御信号が生成される。この増設親機カメラ駆動制御信号は、無線信号に信号処理された後、親世帯無線増設親機３ａ’および子世帯無線増設親機３ｂ’へとそれぞれ伝送される。
【００５１】
親世帯無線増設親機３ａ’および子世帯無線増設親機３ｂ’は、親世帯親機２ａからの無線信号を受信し、電気信号に信号処理された増設親機カメラ駆動制御信号に付加されている増設親機固有アドレスと自増設親機に割り当てられている増設親機固有アドレスとを照合する。ここでは、親世帯無線増設親機３ａ’のみ当該増設親機固有アドレスが一致し、増設親機カメラ３０４が駆動され、親世帯住戸の住戸内で自増設親機の周囲近傍の映像の撮像を開始する。この映像は、電気信号である親世帯住戸内映像信号に信号処理され、自増設親機に予め登録されていた親世帯親機２ａに割り当てられている親機固有アドレスが付加された後、無線信号で親世帯親機２ａおよび子世帯親機２ｂへとそれぞれ伝送される。
【００５２】
また、親世帯親機２ａおよび子世帯親機２ｂは、親世帯無線増設親機３ａ’からの無線信号を受信し、電気信号に信号処理された親世帯住戸内映像信号に付加されている親機固有アドレスと自親機に割り当てられている親機固有アドレスとを照合する。ここでは、親世帯親機２ａのみ当該親機固有アドレスが一致し、親世帯無線増設親機３ａ’の増設親機カメラ３０４にて撮像された映像、すなわち、親世帯住戸の住戸内で親世帯無線増設親機３ａ’の周囲近傍の映像を親機モニタ２０２に表示させることができる。これにより、親世帯住戸の住戸内に在室中の居住者は、親世帯親機２ａの親機モニタ２０２に表示された映像をもとに、自親機に接続されている当該増設親機が親世帯無線増設親機３ａ’である旨を容易に確認することができる。
【００５３】
なお、前述の説明では、親世帯親機２ａの親機モニタ２０２に表示させる映像を親世帯住戸の住戸内で親世帯無線増設親機３ａ’の周囲近傍の映像、子世帯親機２ｂの親機モニタ２０２に表示させる映像を子世帯住戸の住戸内で子世帯無線増設親機３ｂ’の周囲近傍の映像のように選択して予め登録した後、当該テレビインターホン装置の施工業者や居住者が行う所定の増設親機カメラ駆動操作（詳述せず）を、親世帯親機２ａの親機操作部２０３にて行った場合について説明したが、子世帯親機２ｂの親機操作部２０３にて所定の増設親機カメラ駆動操作（増設親機）が行われた場合、当該テレビインターホン装置の施工業者や子世帯住戸の住戸内に在室中の居住者は、子世帯親機２ｂの親機モニタ２０２に表示される映像をもとに、自親機に接続されている当該増設親機が子世帯無線増設親機３ｂ’である旨を容易に確認することができる。
【００５４】
また、本発明の第１、第２の各実施例においては、当該テレビインターホン装置を二世帯住宅内に設置した場合について説明したが、これに限定されず、三世帯住宅内やそれ以上の世帯数を有する住宅内に設置することもできる。
【図面の簡単な説明】
【００５５】
【図１】本発明の第１の実施例によるテレビインターホン装置を示すシステム構成図。
【図２】本発明の第２の実施例によるテレビインターホン装置を示すシステム構成図。
【符号の説明】
【００５６】
１ａ……親世帯玄関子機（玄関子機）
１ｂ……子世帯玄関子機（玄関子機）
１０１……子機カメラ（カメラ）
２ａ……親世帯親機（親機）
２ｂ……子世帯親機（親機）
２０２……親機モニタ（モニタ）
３ａ、３ａ’……親世帯無線増設親機（増設親機）
３ｂ、３ｂ’……子世帯無線増設親機（増設親機）
３０２……増設親機モニタ（モニタ）
３０４……増設親機カメラ（カメラ）
【図１】
2006140660.tif 000003
【図２】
2006140660.tif 000004